(57)【要約】【課題】就寝予約機能を行うデジタルマルチメディア放送受信装置及びその就寝予約方法を提供する。【解決手段】本発明による放送受信装置は、受信した放送信号を外部機器において再生可能な信号に変換して該外部機器に送る外部機器インターフェース部を有し、放送受信装置における就寝予約の設定後、予約された放送受信終了時間に達したとき、上記放送受信装置は、放送受信を終了すると同時に、上記放送受信装置から放送信号を受信して出力するような動作を行う外部機器の電源までもオフにできる。【選択図】図２
2007166638.tif 000002
【特許請求の範囲】
【請求項１】
デジタルマルチメディア放送を受信する装置であって、
前記受信した放送信号を外部機器において再生可能な信号に変換して該外部機器に送る外部機器インターフェース部と、
就寝予約の設定のために前記放送受信終了時間を入力するキー入力部と、
前記入力された放送受信終了時間を記憶するメモリー部と、
前記放送受信終了時間に達したとき、前記放送受信を終了し前記外部機器の電源オフを要請する制御部と、
前記制御部の要請に対応するメッセージを生成して前記外部機器に送る無線信号送信部と、を備えることを特徴とするデジタルマルチメディア放送受信装置。
【請求項２】
前記無線信号送信部は、前記メッセージを無線信号に変換してＩｒＤＡあるいはブルートゥースなどの無線通信を通じて外部機器に送ることを特徴とする請求項１に記載のデジタルマルチメディア放送受信装置。
【請求項３】
前記メッセージは、前記外部機器と互いに約束されたフォーマットの外部機器電源オフ制御メッセージであることを特徴とする請求項１に記載のデジタルマルチメディア放送受信装置。
【請求項４】
前記メモリー部は、前記外部機器と互いに約束されたフォーマットの外部機器制御メッセージ情報を予め記憶していることを特徴とする請求項１に記載のデジタルマルチメディア放送受信装置。
【請求項５】
デジタルマルチメディア放送受信装置において就寝予約機能を行う方法であって、
前記放送を外部機器において再生可能な信号に変換して該外部機器に送るステップと、
就寝予約の設定のために前記放送受信終了時間を入力されるステップと、
前記入力された放送受信終了時間を記憶するステップと、
前記放送受信終了時間に達したとき、前記放送受信を終了し前記外部機器の電源オフを要請するメッセージを生成するステップと、
前記メッセージを前記外部機器に送るステップと、を含むことを特徴とする方法。
【請求項６】
前記メッセージは、前記外部機器と互いに約束されたフォーマットの電源オフ制御メッセージであることを特徴とする請求項５に記載の方法。
【請求項７】
前記外部機器と互いに約束されたフォーマットの電源オフ制御メッセージは、メモリー部に予め記憶されていることを特徴とする請求項６に記載の方法。
【請求項８】
前記メッセージは、無線信号に変換されてＩｒＤＡあるいはブルートゥースなどの無線通信を通じて外部機器に送られることを特徴とする請求項５に記載の方法。
【請求項９】
前記放送受信が終了すると、前記外部機器への前記放送の送信を止めることを特徴とする請求項５に記載の方法。
【発明の詳細な説明】
【技術分野】
【０００１】
本発明は、デジタルマルチメディア放送受信装置（Ｄｉｇｉｔａｌ  Ｍｕｌｔｉｍｅｄｉａ  Ｂｒｏａｄｃａｓｔｉｎｇ：以下、ＤＭＢ）における就寝予約方法に係り、特に、上記デジタルマルチメディア放送受信装置において就寝予約が設定された後、予約された放送受信終了時間に達したとき、放送受信を終了すると同時に、上記放送受信装置から放送信号を受信して出力するような動作を行う外部機器の電源までもオフにするための方法に関する。
【背景技術】
【０００２】
ＤＭＢサービスが本格化すると、ユーザーは、移動中であってもＤＭＢ受信装置を通じて動画と天気・ニュース・位置情報などのデータ情報をＣＤ・ＤＶＤ級の高音質・高画質で享有することができる。また、既存の公衆波、ケーブル及び衛星放送番組もＤＭＢ放送を通じて視聴することになる。通常、ユーザーは、移動中にはＤＭＢ受信装置を通じてＤＭＢ放送を視聴する筈であるが、自宅や事務室などにいるときにはテレビなどの大型ディスプレー付き外部機器を通じて放送番組を視聴しようとするであろう。
【０００３】
図１は、従来の技術による、外部機器インターフェース部１８０を通じて外部機器に放送信号を出力するためのＤＭＢ受信装置１００のブロック構成図である。
上記図１には、従来の技術によるＤＭＢ受信装置にＴＶ−ＯＵＴ端子などの放送信号の出力に関わる機能を持つ外部機器インターフェース部１８０をさらに取り付けて、放送だけではなく、動画、写真、音声などをＴＶなどの外部映像媒体に出力可能なことを示している。
【０００４】
まず、従来の技術によるＤＭＢ受信装置１００は、放送信号が出力可能なものであって、携帯電話用のアンテナ１０５、無線処理部１１５、ＤＭＢ用のアンテナ１１０、デジタル放送受信部１２０、復調部１３０、制御部１４０、メモリー部１５０、キー入力部１６０、出力部１７０及び外部機器インターフェース部１８０を備えてなる。
【０００５】
携帯電話用のアンテナ１０５は、通常の携帯電話用のアンテナであって、基地局からの着呼、ＳＭＳメッセージなどの無線信号を受信して無線処理部１１５に出力する。また、無線処理部１１５は、上記携帯電話用のアンテナ１０５からの信号を処理し、該処理された信号を制御部１４０に送る。
【０００６】
デジタル放送受信部１２０は、ＤＭＢ用のアンテナ１１０を通じて受信した多数のデジタル放送信号のうちユーザー希望の１以上のデジタル放送信号を逆多重化して復調部１３０に出力する。復調部１３０は、デジタル放送受信部１２０から入力されたＤＭＢ送信フレームをデコードし、制御部１４０の制御の下で、スピーカー（図示せず）及びＬＣＤ（図示せず）を備える出力部１７０に出力する。
【０００７】
大型ディスプレー付き外部機器３００を通じて放送を視聴するために、ＤＭＢ受信装置１００が外部機器３００と有線あるいは無線にて接続されている場合、復調部１３０からのＤＭＢ送信フレームは、制御部１４０により外部機器３００において再生可能なフォーマットのデータに変換された後、外部機器インターフェース部１８０を介して接続された大型ディスプレー付き外部機器３００に出力される。このとき、上記データはＤＭＢ受信装置１００の出力部１７０にも同時に出力可能である。
【０００８】
このように外部機器を通じて放送番組を視聴する状況下で、ＤＭＢ受信装置１００に就寝予約を設定することができる。ＤＭＢ信号の受信及び処理には多くの電力が消耗されるが、放送の視聴中にユーザーが眠ってしまった場合には、バッテリーが放電されてモーニングコール機能が作動しなかったり、重要な電話などを受信できなくなったりする不都合が生じることがある。
【０００９】
このために、ＤＭＢ受信装置において就寝予約が設定されると、ＤＭＢ受信装置１００は、所定の時間が経過して設定時間に達したとき、デジタル放送受信部１２０及び復調部１３０などのＤＭＢ信号の受信及び処理モジュールの動作を止める。しかしながら、ＤＭＢ関係の機能を除く機能、すなわち、通話機能、ＳＭＳの着発信機能などの通常の携帯電話の機能を行う処理モジュールは着呼時に直ちに活性化されて正常に動作可能な遊休モードまたは省力モードを維持する。
【００１０】
しかしながら、従来のＤＭＢ受信装置１００は、外部機器を通じて放送番組を視聴する状況下で、ＤＭＢ受信装置に就寝予約を設定し、予約された放送受信終了時間に達したとき、ＤＭＢ受信装置自体の放送受信を終了することはできるものの、テレビなどの外部機器の電源までをオフにすることはできなかった。このため、電力の無駄使い及びユーザーの使い勝手が悪いという不都合があった。また、外部機器の電源までを自動的にオフにするには、ユーザーは、外部機器の就寝予約をもう一回設定することを余儀なくされる。これらの理由から、ＤＭＢ受信装置に就寝予約を設定するに当たり、上記ＤＭＢ受信装置と有線あるいは無線にて接続された外部機器を通じて放送を視聴する場合には、予約設定された終了時間に達したとき、ＤＭＢ端末の放送受信動作を終了すると同時に、外部機器の電源をもオフにできる技術が切望されている。
【特許文献１】韓国公開番号２００５−７６４７７
【発明の開示】
【発明が解決しようとする課題】
【００１１】
そこで、本発明の技術的な課題は、ＤＭＢ受信装置における就寝予約の設定後、予約された放送受信終了時間に達したとき、上記ＤＭＢ受信装置の放送受信を終了すると同時に、上記放送受信装置から放送信号を受信して出力するような動作を行う外部機器の電源までもオフにできる装置及び方法を提供するところにある。
【課題を解決するための手段】
【００１２】
上述の目的を達成するために、本発明の実施形態による就寝予約機能を行うＤＭＢ受信装置は、受信した放送信号を外部機器において再生可能な信号に変換して該外部機器に送る外部機器インターフェース部と、就寝予約の設定のために上記放送受信終了時間を入力するキー入力部と、上記入力された放送受信終了時間を記憶するメモリー部と、上記放送受信終了時間に達したとき、上記放送受信を終了し上記外部機器の電源オフを要請する制御部と、上記制御部の要請に対応するメッセージを生成して上記外部機器に送る無線信号送信部と、を備えることを特徴とする。
【００１３】
本発明の他の目的を達成するために、本発明の実施形態によるＤＭＢ受信装置の就寝予約方法は、上記放送を外部機器において再生可能な信号に変換して該外部機器に送るステップと、就寝予約の設定のために上記放送受信終了時間を入力されるステップと、上記入力された放送受信終了時間を記憶するステップと、上記放送受信終了時間に達したとき、上記放送受信を終了し上記外部機器の電源オフを要請するメッセージを生成するステップと、上記メッセージを上記外部機器に送るステップと、を含むことを特徴とする。
【発明の効果】
【００１４】
本発明によれば、ＤＭＢ受信装置における就寝予約の設定後、予約された放送受信終了時間に達したとき、上記ＤＭＢ受信装置は、放送受信を終了すると同時に、上記放送受信装置から放送信号を受信して出力するような動作を行う外部機器の電源までもオフにできる。
【発明を実施するための最良の形態】
【００１５】
以下、添付した図面に基づき、本発明に係る好適な実施の形態を詳細に説明する。
まず、各図面の構成要素に参照符号を付するに当たり、同じ構成要素に対しては、たとえ他の図面の上に示されているとしても、できる限り同じ符号を付していることに留意しなければならない。
【００１６】
図２は、本発明の一実施形態による放送の外部機器への出力中に就寝予約機能を行うＤＭＢ受信装置２００の内部構成を示すブロック構成図である。
図２を参照すると、本発明の一実施形態によるＤＭＢ受信装置２００は、携帯電話用のアンテナ１０５、無線処理部１１５、ＤＭＢ用のアンテナ１１０、デジタル放送受信部１２０、復調部１３０、制御部２４０、メモリー部１５０、キー入力部１６０、出力部１７０及び外部機器インターフェース部１８０、無線信号送信部２６０を備える。
【００１７】
携帯電話用のアンテナ１０５は、通常の携帯電話用のアンテナであって、基地局からの着呼、ＳＭＳメッセージなどの無線信号を受信して無線処理部１１５に出力する。また、無線処理部１１５は、上記携帯電話用のアンテナ１０５からの信号を処理し、該処理された信号を制御部２４０に送る。
【００１８】
デジタル放送受信部１２０は、ＤＭＢ用のアンテナ１１０を通じて受信した多数のデジタル放送信号のうちユーザー希望の１以上のデジタル放送信号を逆多重化して復調部１３０に出力する。復調部１３０は、入力されたＤＭＢ送信フレームをデコードし、スピーカー（図示せず）及びＬＣＤ（図示せず）を備える出力部１７０に出力する。
【００１９】
大型ディスプレー付き外部機器３００を通じて放送を視聴するために、ＤＭＢ受信装置２００が外部機器３００と有線あるいは無線にて接続されている場合、復調部１３０からのＤＭＢ送信フレームは、制御部２４０により外部機器３００において再生可能なフォーマットのデータに変換された後、外部機器インターフェース部１８０を介して接続された大型ディスプレー付き外部機器３００に出力される。このとき、上記データはＤＭＢ受信装置１００の出力部１７０にも同時に出力可能である。
【００２０】
制御部２４０は、キー入力部１６０を通じて行われるユーザーの就寝予約の設定に応じて、予約された放送受信終了時間をメモリー部１５０に記憶し、上記放送受信終了時間に達したとき、デジタル放送受信部１２０及び復調部１３０を制御して放送信号の受信及び処理を終了する。このとき、制御部２４０は、デジタル放送受信部１２０及び復調部１３０への電源の供給を遮断したり、ソフトウェア的にデジタル放送受信部１２０及び復調部１３０の動作を止めたりする。
【００２１】
上記制御部２４０によりデジタル放送受信部１２０及び復調部１３０の動作が止まると、ＤＭＢ受信装置２００は、遊休モードあるいは省力モードに切り換えられるが、このとき、ＤＭＢを除く電話機能、メッセージ送受信機能などのその他の機能を行うモジュールは着呼時にいつでも活性化可能である。
【００２２】
このとき、出力部１７０または外部機器インターフェース部１８０には、遊休モード用あるいは省力モード用の画像を出力してもよく、何も出力しなくてもよい。
【００２３】
このように、デジタル放送受信部１２０及び復調部１３０の動作を止めた後、制御部２４０は、接続中の外部機器３００を遠隔制御して上記外部機器３００の電源をオフにすべく、外部機器３００と互いに約束されたフォーマットの制御メッセージをＩｒＤＡあるいはブルートゥースなどの無線通信を通じて外部機器３００に送る目的で無線信号送信部２６０を駆動する。
【００２４】
無線信号送信部２６０は、制御部２４０からの要請に応じて、外部機器３００と互いに約束されたフォーマットの制御メッセージを記憶しているメモリー部１５０から外部機器３００の電源をオフにするように制御するメッセージを読み出し、上記メッセージを無線通信を通じて送るために無線信号に変換した後、ＩｒＤＡあるいはブルートゥースなどの無線通信を通じて外部機器に送る。
【００２５】
メモリー部１５０は、上記キー入力部１６０を通じて行われたユーザーの就寝予約の設定による放送受信終了時間の設定情報を記憶すると共に、外部機器３００を制御するために外部機器３００と互いに約束されたフォーマットの制御メッセージ情報を予め記憶している。これにより、制御部２４０から要請があれば、該要請に対応する制御メッセージが上記メモリー部１５０から読み出され、上記無線信号送信部２６０を通じて外部機器３００に送られる。
【００２６】
上記ＤＭＢ受信装置２００は、通常の携帯電話機能とＤＭＢ受信端末の機能を併せ持つＤＭＢフォンであるが、ＤＭＢフォンではなく、ＤＭＢ専用の受信端末である場合、携帯電話用のアンテナ１０５及び無線処理部１１５を備えていないのが普通である。
【００２７】
図３は、本発明の一実施形態によるＤＭＢ受信装置において就寝予約機能を行うための方法を示すフローチャートである。
【００２８】
ステップＳ３１０において、ＤＭＢ受信装置は、大型ディスプレー付き外部機器を通じて受信した放送信号を視聴するために接続された外部機器に上記放送信号を出力する。
【００２９】
ステップＳ３２０において、ユーザーによる就寝予約の設定により、予約された就寝時間、すなわち、放送受信終了時間が入力されると、ステップＳ３３０において、上記放送受信終了時間がＤＭＢ受信装置に記憶される。
【００３０】
ステップＳ３４０において、上記放送受信終了時間に達したかどうかを判断し、上記放送受信終了時間に達したとき、ステップＳ３５０において、放送信号の受信及び処理を終了する。このとき、放送信号を接続中の外部機器に出力する動作も一緒に終了する。
【００３１】
ステップＳ３６０において、接続中の外部機器を遠隔制御して上記外部機器の電源をオフにするために、メモリー部に外部機器と互いに約束されたフォーマットの予め記憶されている制御メッセージを読み出し、ステップＳ３７０において、上記制御メッセージを送信可能な無線信号に変換し、ステップＳ３８０において、ＩｒＤＡあるいはブルートゥースなどの無線通信を通じて外部機器に送る。
【００３２】
本発明の属する技術分野において通常の知識を持った者にとっては、本発明が本発明の本質的な特性から逸脱しない範囲において変形された形態で具現可能であることが理解できるであろう。本発明の範囲は前述した説明ではなく、特許請求の範囲に示されており、これらと同等な範囲内にある全ての差異点は本発明に含まれると解釈されなければならないであろう。
【図面の簡単な説明】
【００３３】
【図１】従来の技術による、外部機器インターフェース部を通じて外部機器に放送信号を出力するためのＤＭＢ受信装置のブロック構成図である。
【図２】本発明の一実施形態による放送の外部機器への出力中に就寝予約機能を行うためのＤＭＢ受信装置のブロック構成図である。
【図３】本発明の一実施形態による放送の外部機器への出力中に就寝予約機能を行うための方法を示すフローチャートである。
【符号の説明】
【００３４】
１００、２００：ＤＭＢ受信装置
１０５：携帯電話用のアンテナ
１１０：ＤＭＢ用のアンテナ
１１５：無線処理部
１２０：デジタル放送受信部
１３０：復調部
１５０：メモリー部
１６０：キー入力部
１７０：出力部
１８０：外部機器インターフェース部
１４０、２４０：制御部
２６０：無線信号送信部
【図３】
2007166638.tif 000003
【図１】
2007166638.tif 000004
【図２】
2007166638.tif 000005